(57)【要約】      （修正有）【課題】手でライティングをするとき、ライティングする掌側辺を保護し汚染を防止するハンドパッドを提供する。【解決手段】ハンドパッドは平板状のパッド本体１０の上面に手に固定するための固定部１１が設けられ、固定部はパッド本体の上面より上向きに延伸されたフレキシブルな線材を内蔵する固定ストラップ１２とされるか、或いはパッド本体上面の一端の両側に一体成形された挟持片とされるか、或いはハンドパッドが断面がＵ形を呈するパッド本体で構成され、これにより、ハンドパッドのパッド本体が人の掌側辺部の下に置かれ、該固定部により小指或いは掌側辺に固定され、人がライティングする時、パッド本体の掌側辺部下方の隔離により、紙に書いた文字に残留するインク或いはカーボン粉の汚染を防止し、パッド本体１０のクッション弾性を利用し、この部分の圧力を軽減し、ライティング時の快適性を増す。【選択図】図１
0003108687.tif 000002
【実用新案登録請求の範囲】
【請求項１】
ハンドパッドにおいて、人の掌側辺部下に置かれる平板状のパッド本体と、該パッド本体の上面に設けられて人の手に固定するための固定手段を具えたことを特徴とする、ハンドパッド。
【請求項２】
請求項１記載のハンドパッドにおいて、パッド本体の上面に内部にフレキシブル線材を被包した固定ストラップが一体に形成され、該固定ストラップが使用者の小指の回りに繞設される固定部を構成することを特徴とする、ハンドパッド。
【請求項３】
請求項２記載のハンドパッドにおいて、パッド本体及びその上面の内部にフレキシブル線材を被包した固定ストラップが発泡材を一体成形してなる形態とされて、フレキシブル線材が細い銅線とされたことを特徴とする、ハンドパッド。
【請求項４】
請求項１記載のハンドパッドにおいて、パッド本体の上面の一端両側に相互に対応する挟持片が上向きに延設され、該相互に対応する挟持片が使用者の掌側辺部を挟持可能な固定部を構成することを特徴とする、ハンドパッド。
【請求項５】
請求項４記載のハンドパッドにおいて、パッド本体とその上面の挟持片が発泡材を一体成形してなる形態とされたことを特徴とする、ハンドパッド。
【請求項６】
請求項１記載のハンドパッドにおいて、パッド本体の上面の一端両側に相互に対応する挟持片が上向きに延設され、別にパッド本体の上面の挟持片と反対の側辺部分に内部にフレキシブル線材を被包する固定ストラップが設けられ、該相互に対応する挟持片及び固定ストラップの組合せにより、掌側辺部に固定される固定部が構成されることを特徴とする、ハンドパッド。
【請求項７】
請求項６記載のハンドパッドにおいて、パッド本体、挟持片及び固定ストラップが発泡材を一体成形してなる形態とされ、フレキシブル線材が細い銅線とされたことを特徴とする、ハンドパッド。
【請求項８】
ハンドパッドにおいて、断面がＵ形をなすパッド本体を具えて人体掌側辺部を挟持可能な保護パッドを構成することを特徴とする、ハンドパッド。
【考案の詳細な説明】
【技術分野】
【０００１】
本考案は一種のハンドパッドに係り、特に人の掌の側辺に置かれ、手に筆記具を持ってライティングする時、掌側辺が直接紙面に触れて筆記具のカーボン粉或いはインクの汚染を受けるのを防止し、並びに掌側辺と紙面の直接摩擦を減少できるハンドパッドに関する。
【背景技術】
【０００２】
人が勉強する過程で、筆記具は学生がライティング或いは作業を行なう時に必要な文具であり、現在常用されている筆記具には鉛筆、ボールペン、サインペン及び万年筆等がある。そのうち、鉛筆は学生が勉強する過程で比較的常用される筆記具である。
【０００３】
周知のとおり、鉛筆はその軸内部に芯が設置され、現在芯の主要な成分はカーボン粉に添加物を混合したものとされ、芯で紙にライティングする時、紙上の芯の通った位置にカーボン粉が付着し、筆跡を形成する。
【０００４】
鉛筆でライティングする人はいずれも以下のような経験を有しているに違いない。即ち、鉛筆でライティングした後、特に右列から左列への縦書き文書を書く時、ライティングする掌側辺が既に文字が書かれた紙面と摩擦接触し、掌側辺がカーボン粉で汚れる、という経験である。これは学生にとっては、手を洗わなければ手に残留したカーボン粉が食品を摂取する時に体内に入り、健康に不利となる。このほか、ライティングした手の掌側辺が長時間紙面に押しつけられる、並びにライティングの動作に伴い紙面と摩擦を形成するため、掌側辺が小さからぬ作用力を受けて不適感を有する。
【考案の開示】
【考案が解決しようとする課題】
【０００５】
本考案の主要な目的は、一種のハンドパッドを提供することにあり、それは人々が手でライティングする時、ライティングする掌側辺を保護して汚染を防止し及び不適感を軽減するものとする。
【０００６】
上述の目的を達成するために本考案の提供する技術手段によると、該ハンドパッドは平板状のパッド本体の上面に手に固定するための固定部が設けられてなる。該固定部はパッド本体の上面より上向きに延伸されたフレキシブルな線材を内蔵する固定ストラップとされるか、或いはパッド本体上面の一端の両側に一体成形された挟持片とされるか、或いはハンドパッドが断面がＵ形を呈するパッド本体で構成され、これにより、ハンドパッドのパッド本体が人の掌側辺部に固定される。
【課題を解決するための手段】
【０００７】
請求項１の考案は、ハンドパッドにおいて、人の掌側辺部下に置かれる平板状のパッド本体と、該パッド本体の上面に設けられて人の手に固定するための固定手段を具えたことを特徴とする、ハンドパッドとしている。
請求項２の考案は、請求項１記載のハンドパッドにおいて、パッド本体の上面に内部にフレキシブル線材を被包した固定ストラップが一体に形成され、該固定ストラップが使用者の小指の回りに繞設される固定部を構成することを特徴とする、ハンドパッドとしている。
請求項３の考案は、請求項２記載のハンドパッドにおいて、パッド本体及びその上面の内部にフレキシブル線材を被包した固定ストラップが発泡材を一体成形してなる形態とされて、フレキシブル線材が細い銅線とされたことを特徴とする、ハンドパッドとしている。
請求項４の考案は、請求項１記載のハンドパッドにおいて、パッド本体の上面の一端両側に相互に対応する挟持片が上向きに延設され、該相互に対応する挟持片が使用者の掌側辺部を挟持可能な固定部を構成することを特徴とする、ハンドパッドとしている。
請求項５の考案は、請求項４記載のハンドパッドにおいて、パッド本体とその上面の挟持片が発泡材を一体成形してなる形態とされたことを特徴とする、ハンドパッドとしている。
請求項６の考案は、請求項１記載のハンドパッドにおいて、パッド本体の上面の一端両側に相互に対応する挟持片が上向きに延設され、別にパッド本体の上面の挟持片と反対の側辺部分に内部にフレキシブル線材を被包する固定ストラップが設けられ、該相互に対応する挟持片及び固定ストラップの組合せにより、掌側辺部に固定される固定部が構成されることを特徴とする、ハンドパッドとしている。
請求項７の考案は、請求項６記載のハンドパッドにおいて、パッド本体、挟持片及び固定ストラップが発泡材を一体成形してなる形態とされ、フレキシブル線材が細い銅線とされたことを特徴とする、ハンドパッドとしている。
請求項８の考案は、ハンドパッドにおいて、断面がＵ形をなすパッド本体を具えて人体掌側辺部を挟持可能な保護パッドを構成することを特徴とする、ハンドパッドとしている。
【考案の効果】
【０００８】
本考案は上述の技術手段により設計され、その達成できる機能は以下のとおりである。即ち、人がライティングする時、軟質パッド本体がライティングする手の掌側辺部の下に置かれて卓上或いは紙上に当接し、これにより、パッド本体の隔離を利用し、掌側辺部が紙上の文字に残留するインク或いはカーボン粉により汚染されるのを防止でき、並びにパッド本体が掌側辺の下に置かれ、軟性材質のクッション弾性により、この部分の圧力を軽減し、ライティング時の快適性を増し、また、軟質パッド本体は使用者の掌側辺部の下に置かれて手にフィットし、ほぼ人の手の一部分のようになり、使用操作上、疲れや不適感が溜まることがない。
【考案を実施するための最良の形態】
【０００９】
本考案の技術手段に基づき、本考案のハンドパッドは少なくとも以下の数種類の具体的実施例に設計可能である。
【００１０】
第１種の実施例は図１に示されるようであり、該ハンドパッドは平板状の軟質パッド本体１０を具え、該パッド本体１０の上面に、内部にフレキシブル線材１２１を具えた固定ストラップ１２が一体に形成され、該固定ストラップ１２が使用者の小指の回りに繞設される固定部１１を構成し、該パッド本体１０及び、その上の、フレキシブル線材１２１を被包した固定ストラップ１２は発泡材を一体成形してなり、フレキシブル線材１２１は細い銅線、細い鉄線等とされうる。
【００１１】
該ハンドパッドを使用する時は、図２に示されるように、パッド本体１０がライティングする手の掌側辺部下に置かれ、並びにフレキシブルな固定ストラップ１２が曲げられてその手の小指の回りに繞設され、該ハンドパッドのパッド本体１０が掌側辺部下に固定され、使用者がライティングする時、パッド本体１０の隔離を利用し、掌側辺部を紙上の文字に残留するインク或いはカーボン粉による汚染を防止し、パッド本体１０が掌側辺部下に置かれることで、この部分の圧力を軽減し、ライティング時の快適性を増す。
【００１２】
第２種の実施例は図３に示されるようであり、該ハンドパッドは同様に平板状の軟質パッド本体１０を具え、別に該パッド本体１０の一端両側に相互に対応する挟持片１３が上向きに延設され、使用者の掌側辺部を挟持可能な固定部１１を形成し、該パッド本体１０及びその上の挟持片１３は発泡材を一体成形してなる。
【００１３】
前述のハンドパッドは使用時に、図４に示されるように、パッド本体１０がライティングする手の掌側辺部下に置かれ、並びに両側の挟持片１３にパッド本体１０が組み合わされて構成されたＵ形固定部１１が掌側辺部を挟持し、使用者がライティングする時に掌側辺部を保護するのに供される。
【００１４】
第３種の実施例は図５に示されるようであり、該ハンドパッドは同様に平板状の軟質パッド本体１０を具え、並びに該パッド本体１０の一端両側に相互に対応する挟持片１３が上向きに延設され、別にパッド本体１０の上面にあって、該挟持片１３の反対側に位置する側辺部分に内部にフレキシブル線材１２１を具えた固定ストラップ１２が一体に形成され、該挟持片１３及び固定ストラップ１２の組合せが固定部１１とされ、前述のパッド本体１０と挟持片１３及び固定ストラップ１２は発泡材を一体成形した形態とされ得て、該フレキシブル線材１２１は細い鉄線、細い銅線等とされうる。
【００１５】
該ハンドパッドは使用時に、図６に示されるように、パッド本体１０がライティングする手の掌側辺部下に置かれ、フレキシブルな固定ストラップ１２が曲げられてその手の小指の回りに繞設され、並びに両側の挟持片１３が掌側辺を挟持し、該ハンドパッドのパッド本体１０が掌側辺部下に固定され、使用者がライティングする時に掌側辺部を保護するのに供される。
【００１６】
第４種の実施例は図７に示されるようであり、該ハンドパッドは断面がＵ形を成すパッド本体１０ａを具えている。
【００１７】
該ハンドパッドは使用時に、図８に示されるように、人体の掌側辺部下に置かれ、使用者がライティングする時に掌側辺部を保護するのに供される。このような構造は簡単で製造コストを減らすことができ、且つ操作使用に更に便利である。
【００１８】
以上の説明から分かるように、本考案は人々がライティングする時、有効にライティングする手の掌側辺部を保護して紙に書いた文字に残留するインク或いはカーボン粉による汚染を防止し、並びにクッション弾性を有する軟質パッド本体が掌側辺部下に置かれてその部分の圧力を軽減し、ライティング時の快適性を増す。また軟質のパッド本体は、使用者の掌側辺部下に置かれて手にフィットし、ほぼ人の手の一部のようになり、使用操作上完全に疲れが溜まったり不適感を感じさせることがなく、該ハンドパッドは使用上、便利性を有し、実用性を有する。
【図面の簡単な説明】
【００１９】
【図１】本考案の第１種の実施例の立体図である。
【図２】本考案の第１種の実施例の使用状態参考図である。
【図３】本考案の第２種の実施例の立体図である。
【図４】本考案の第２種の実施例の使用状態参考図である。
【図５】本考案の第３種の実施例の立体図である。
【図６】本考案の第３種の実施例の使用状態参考図である。
【図７】本考案の第４種の実施例の立体図である。
【図８】本考案の第４種の実施例の使用状態参考図である。
【符号の説明】
【００２０】
１０  パッド本体        １１  固定部
１２  固定ストラップ    １２１  フレキシブル線材
１３  挟持片            １０ａ  パッド本体
【図１】
0003108687.tif 000003
【図２】
0003108687.tif 000004
【図３】
0003108687.tif 000005
【図４】
0003108687.tif 000006
【図５】
0003108687.tif 000007
【図６】
0003108687.tif 000008
【図７】
0003108687.tif 000009
【図８】
0003108687.tif 000010